(57)【要約】【課題】好気性のバクテリアを用いるバイオ式の生ごみ処置装置において、生ごみの処理速度を向上させるために、生ごみの処理速度の向上させることができるとともに、撹拌のトルクの増大を防ぎ、生ごみ処理を滞りなく行う事の出来る生ごみ処理機を提供すること。【解決手段】前記課題を解決するため、本発明は、生ごみ処理機において、複数の指を有する手の形を形成した撹拌翼を回転させた時、撹拌翼の指の間を通過する粉砕刃に前記指の付け根を擦る様に可動する部品を形成したことを特徴とする。【選択図】図４
2007185554.tif 000002
【特許請求の範囲】
【請求項１】
上部に上向きの投入口を有し、底部が円弧形状をなす箱形の処理槽と、この処理槽を内置する箱形の外枠と、前記処理槽内に設けられ、かつ回転軸心の向きを横にする撹拌体と、前記処理槽を加熱する加熱手段とを有し、前記処理槽内の生ごみを分解処理する基材として好気性のバクテリアを用いる生ごみ処理機にあって、前記撹拌体は、複数の撹拌翼を有し、少なくとも一つの撹拌翼は、複数の指部を有する手形状を備え、前記撹拌体の回転に際し、前記指の間を通過する粉砕刃を有する粉砕部を処理槽に設けてあって、前記粉砕刃に、前記撹拌体の回転により前記指の間を通過する際、前記指の付け根を接触しながら擦る様に取付け角度が可動する部品を備えたことを特徴とする生ごみ処理機。
【請求項２】
請求項１に記載された生ごみ処理機において、複数の前記指の付け根を擦る様に可動する部品を合成樹脂で形成したことを特徴とする生ごみ処理機。
【請求項３】
請求項１に記載された生ごみ処理機において、複数の前記指の付け根を擦る様に可動する部品を金属で形成したことを特徴とする生ごみ処理機。
【発明の詳細な説明】
【技術分野】
【０００１】
本発明は、固形有機廃棄物の処理装置に係り、特に家庭の厨房からでる厨芥（生ごみ）を好気性のバクテリアにより分解する、いわゆるバイオ式の生ごみ処置装置に関する。
【背景技術】
【０００２】
バイオ式の生ごみ処置装置としては種々のものがあるが、例えば特開平７−２９００２９号公報（特許文献１）や特開平６−３０４５４２号公報（特許文献２）等を挙げることができる。
【０００３】
【特許文献１】特開平７−２９００２９号公報
【特許文献２】特開平６−３０４５４２号公報
【発明の開示】
【発明が解決しようとする課題】
【０００４】
好気性のバクテリアを用いるバイオ式の生ごみ処置装置は、生ごみの処理速度を向上させるために、処理槽内部に粉砕刃を設け、生ごみを粉砕し処理速度の向上を図っていたが、投入される生ごみの種類によっては生ごみの繊維物により、撹拌体の撹拌トルクの増大や、撹拌動作の停止を発生させたりしていた。
【０００５】
上記の問題を鑑み、本発明は撹拌トルクの増大を防ぎ、生ごみ処理を滞りなく行う事の出来る生ごみ処理機を提供することを目的とする。
【課題を解決するための手段】
【０００６】
本発明は、上部に上向きの投入口を有し、底部が円弧形状をなす箱形の処理槽と、この処理槽を内置する箱形の外枠と、前記処理槽内に設けられ、かつ回転軸心の向きを横にする撹拌体と、前記処理槽を加熱する加熱手段とを有し、前記処理槽内の生ごみを分解処理する基材として好気性のバクテリアを用いる生ごみ処理機にあって、前記撹拌体は、複数の撹拌翼を有し、少なくとも一つの撹拌翼は、複数の指部を有する手形状を備え、前記撹拌体の回転に際し、前記指の間を通過する粉砕刃を有する粉砕部を処理槽に設けてあって、前記粉砕刃に、前記撹拌体の回転により前記指の間を通過する際、前記指の付け根を接触しながら擦る様に取付け角度が可動する部品を備えたことを特徴とする。
【発明の効果】
【０００７】
本発明によれば、撹拌トルクの増大を防ぎ、生ごみ処理の速度を早く、そして滞りなく行う事の出来る生ごみ処理機を提供することができる。
【発明を実施するための最良の形態】
【０００８】
以下、本発明の実施例を図面を基に説明する。
【０００９】
まず、図１、図２、図３に沿って生ごみ処理機の全般的な構造について述べる。
【００１０】
生ごみ処理機は、処理槽１、両側板２，２、前側支持板３、後側支持板４、前面化粧板５、ごみ投入用蓋６、底部ベース７を有する。
【００１１】
処理槽１には、撹拌体８が備わる。撹拌体８は処理槽１内で回転するように設けられる。撹拌体８の回転軸９は、処理槽１を形成する左右両側面壁１０，１１に軸受１２，１３を介して回転自在に支持される。回転軸９の回転軸心は横（水平）になるように置かれる。回転軸９は３つの撹拌翼１４，１５，１６を有する。処理槽１を形成する前側面壁１７、後側面壁１８は、底側が前記底部１９の円弧を形成すべく、円弧形状をなし、全体としてほぼ半円の円弧を形成している。このような円弧形状をなす、低部１９の円弧面に沿うように撹拌翼１４，１５，１６は、処理槽１の内部で回転するのである。
【００１２】
撹拌翼１４，１５，１６は、回転する方向にほぼ等間隔（１２０角度）で配置されるように回転軸９に取り付けられる。言い換えると、回転軸９の軸心方向から見てほぼ等間隔に配置されている。
【００１３】
撹拌翼１５は、図３に示す様に、処理槽１の中央に位置するように回転軸９に支持されている。言い換えると、撹拌翼１５は回転軸９の長手方向の中央に位置している。撹拌翼１４，１６は、撹拌翼１５を間に左右は振分けて回転軸９の両端側に位置するように回転軸９に支持される。つまり、撹拌翼１４は側面壁１０側に寄せて、撹拌翼１６は側面壁１１側に寄せて、配置されているのである。撹拌翼１４，１６は同じように形状をしているが、中央に位置する撹拌翼１５は違う形状をしている。
【００１４】
この撹拌翼１５について、図４を加えて説明する。
【００１５】
撹拌翼１５は、撹拌翼片２０と支持腕２１を有する。先端側が三叉に分かれる三本の指２２を備えている。撹拌翼１５は、全体的には、三本指を備えた手のようは形状をしている。
【００１６】
撹拌翼１５に関係する破砕部ついて、図５より説明する。
【００１７】
破砕部２３は、処理槽１の内側に設けられる。処理槽１の後側面壁１８で、底部１９の円弧を終わる平坦な位置に破砕部２３は備わる。破砕部２３に備わる粉砕歯２４，２５を有する破砕部２３は、鋼板で作られ処理槽１に強固に取り付けられる。
【００１８】
粉砕歯２４，２５は、４２ｍｍより幾分狭い間隔を隔てて向き合うように置かれ、かつ上下方向に少し段差が付くようにずらして設けられる。段差は、ほぼ１４ｍｍ程度で、粉砕歯２５が下側に、粉砕歯２４が上側になるように配置される。破砕部２３は粉砕歯２４，２５の延在方向が処理槽１の上方向に沿うように設けられている。破砕部２３は、処理槽１の中央、つまり、後側面壁１８の中央に位置するように置かれる。撹拌翼１５は前述したように処理槽１の中央に位置するように回転軸９に支持されているので、撹拌翼１５の回転に際し、三本の指２２の間に粉砕歯２４，２５が通過するような関係になるのである。言い換えると、三本の指２２の間にできる二つの間隙の一方には粉砕歯２４が、他方には粉砕歯２５が通過できるような配置関係になっているのである。
【００１９】
この撹拌翼１５が、破砕刃２５，２５を通過する際に、撹拌翼１５の三本の指の付け根２６を破砕刃２４，２５に取付てある除去金具２７が接触して攪拌翼１５の回転に伴い、除去金具２７が付け根２６を擦ることで、投入された生ごみの繊維物が、三本の指の付け根２６部分に付着しても、引きはがす事ができ、堆積による、撹拌動作を滞りなく行うことが出来るのである。
【００２０】
また、この除去金具２７は、保持バネ２８により、攪拌翼１５により押されて倒されてもピン２９を軸に一定の角度に保持され、撹拌翼１５の回転の際、この除去金具２７が三本の指の付け根２６に干渉し撹拌の妨げになるのを防ぐ為のものである。
【図面の簡単な説明】
【００２１】
【図１】本発明の実施例に係るもので、生ごみ処理機の本体部と外枠に分解したところを示す分解図。
【図２】本発明の実施例に係るもので、生ごみ処理機の横断面図。
【図３】本発明の実施例に係るもので、生ごみ処理機の縦断面図。
【図４】本発明の実施例に係るもので、生ごみ処理機の粉砕部を示す図。
【図５】本発明の実施例に係るもので、生ごみ処理機の粉砕部を示す拡大図。
【符号の説明】
【００２２】
１…処理槽、１５…撹拌翼、２２…三本の指、２７…除去金具、２８…保持バネ。
【図１】
2007185554.tif 000003
【図２】
2007185554.tif 000004
【図３】
2007185554.tif 000005
【図４】
2007185554.tif 000006
【図５】
2007185554.tif 000007